(57)【要約】【課題】  既設床暖房の床面のリフォームを正確に且つ能率よく施工できると共に、床暖房として必要な温度を得ることができるリフォーム方法を提供する。【解決手段】  四方端面に本実加工を施している厚さが２〜５mmの薄い長方形状の上貼り床材１の裏面に厚さが0.15mm〜0.5mm の両面粘着テープ６を貼着すると共に、この両面粘着テープ６以外の下面部分に厚みが両面粘着テープ６よりも厚い接着剤層７を設け、この上貼り床材１を先に施工した上貼り床材１と小間隔を存して対向するように既設床暖房４の床面上に上記接着剤層７を介して載置したのち、床面上を滑らせながら接着剤層７の粘性を利用して対向した雌雄実部同士を嵌合させ、しかるのち、この上貼り床材１の上面を押圧してその下面の両面粘着テープ６を床面上に貼着、固定し、この作業を順次行って既設床暖房４をリフォームする。【選択図】    図２
2007056561.tif 000002
【特許請求の範囲】
【請求項１】
四方端面に本実加工を施した上貼り床材を既設床暖房の床面上に順次並列状に施工することにより該既設床暖房をリフォームする方法であって、既設床暖房の床面と施工すべき上貼り床材の下面とのいずれか一方に両面粘着テープとこの両面粘着テープ以外の部分に該両面粘着テープの厚みよりも厚い接着剤層を設ける工程と、先にこれらの両面粘着テープと接着剤層を介して貼着、施工した上貼り床材に対して次に施工すべき上貼り床材を互いに雌雄実部を対向させた状態となるように床面上に上記接着剤層を介して載置する工程と、床面上に載置した該上貼り床材を先に施工した上記上貼り床材側に下面側の接着剤層の粘性を利用して水平移動させることにより互いに雌雄実部を嵌合させる工程と、施工すべき上貼り床材の上面を押圧して接着剤層を展延することにより該上貼り床材の下面側に設けている両面粘着テープの上下面をこの上貼り床材の下面と床面とに貼着して上貼り床材を固定する工程とからなり、これらの工程を順次繰り返し行って既設床暖房の床面上に多数枚の上貼り床材を並列状態に施工することを特徴とする既設床暖房の上貼りリフォーム方法。
【請求項２】
上貼り床材は、無機質繊維と無機質粉状体と結合剤とを主成分とする比重が0.8 以上の無機質板を基板とし、この基板の上面に化粧層を設けてなる厚さが２〜５mmの床材であることを特徴とする請求項１に記載の既設床暖房の上貼りリフォーム方法。
【請求項３】
両面粘着テープの厚みが0.15mm〜0.5mm である一方、この両面粘着テープと接着剤層とによって上貼り床材の下面全面を既設床暖房の床面上に貼着させるように構成していることを特徴とする請求項１に記載の既設床暖房の上貼りリフォーム方法。
【請求項４】
上貼り床材の施工によってリフォームした既設床暖房の定常暖房運転時における該床面上の上記上貼り床材の床表面温度が、この上貼り床材を施工する前の定常暖房運転時の既設床暖房の床表面温度より３℃以内の低い温度範囲となるように上貼り床材の施工条件を設定することを特徴とする請求項１、請求項２又は請求項３に記載の既設床暖房の上貼りリフォーム方法。
【請求項５】
既設床暖房を設けている部屋の床面上において、該床面の四方周辺部に両面粘着テープを貼着すると共に施工すべき上貼り床材の長さ方向に平行な対向周辺部に貼着している上記両面粘着テープ間に上貼り床材の長さよりも短い間隔毎に上貼り床材を横断する方向に両面粘着テープを貼着し、これらの両面粘着テープ以外の部分に上貼り床材の下面を既設床暖房の床面上に接着する接着剤を塗布することを特徴とする請求項１又は請求項３に記載の既設床暖房の上貼りリフォーム方法。
【請求項６】
上貼り床材の下面における長さ方向の一端部に該上貼り床材の短辺に平行して両面粘着テープを貼着すると共にこの両面粘着テープの貼着部以外の部分に接着剤層を塗布することを特徴とする請求項１又は請求項３に記載の既設床暖房の上貼りリフォーム方法。
【請求項７】
既設床暖房の床面上に厚さ0.5mm 〜3.0mm の高比重オレフィンマットを敷設し、この高比重オレフィンマット上に両面粘着テープと接着剤層を介して上貼り床材を施工することを特徴とする請求項１、請求項３、請求項５又は請求項６に記載の既設床暖房の上貼りリフォーム方法。
【発明の詳細な説明】
【技術分野】
【０００１】
本発明は住宅における既設床暖房の床面の上貼りリフォーム方法に関する。
【背景技術】
【０００２】
従来から、既設の床面をリフォームする際に、床材を剥がすことなくその床面上に上貼り床材を貼着、施工することが行われている。例えば、特許文献１に記載されているように、木質系基板の長手方向の両側端部に第１合决り部と第２合决り部とをそれぞれ形成すると共に第２合决り部側の裏面に両面粘着テープを設けてなる直貼り用床材を既設の床面上に順次、並列状態に敷設、施工することによってリフォームすることが行われている。この際、既設の床面上において、先に両面粘着テープを介して貼着した直貼り用床材の第１合决り部上に、次に敷設すべき直貼り用床材の第２合决り部を重ね合わせ状態に接合すると共にその下面に設けている両面粘着テープを床面上に貼着、固定することによって互いに並列状態に敷設し、この作業手順を順次繰り返し行うことによって既設の床面を上貼りリフォームしている。
【特許文献１】特開２００１−２８８８８０号公報
【発明の開示】
【発明が解決しようとする課題】
【０００３】
しかしながら、上記特許文献に開示されている床面の上貼りリフォーム方法を床暖房の床面の上貼りリフォームに採用した場合、次のような問題点が生じることになる。即ち、床材同士の接合部が合决り部であるため、既設の床面に多少の不陸や段差が生じていても、隣接する床材の接合部に目隙きや段差として現出し易くなり、施工後の外観を損なうことになる。特に、床暖房の場合には、加熱と加熱停止とによる大きな温度差の繰り返しや乾湿の繰り返し等のように、通常の床よりも過酷な使用が行われ、この使用条件によって床材自体に変形が生じることがあるが、上述したような合决りによる接合ではその変形を抑止することができず、目隙きや段差として現出することになる。
【０００４】
このような床暖房の過酷な使用状態による上記床材の変形は、接合部を合决り形状ではなく、互いに嵌合する雌雄実部からなる本実形状に形成しておけば抑制することができるが、本実形状の場合には合决り形状のように、先に施工した床材に対して次に施工すべき床材を上方側から下ろして対向する合决り部を互いに接合させるような作業では施工することができず、先に床面上に施工した床材に対して次に施工すべき床材を互いに嵌合すべき雌雄実部を近接させた状態となるように床面上に載置し、この状態から施工すべき床材を床面上で滑らすように先に施工した床材に向かって水平移動させることにより、雌雄実部を嵌合させなければならない。
【０００５】
しかしながら、床材の下面に両面粘着テープを貼着しておくと、この床材を床面上に載置した場合には床面に両面粘着テープが貼着して該床材が固定され、床面上を滑動させて雌雄実部同士を嵌合させることが困難となって上貼りリフォームを正確に行うことができなくなる。さらに、床暖房の床面上に両面粘着テープのみで床材を施工した場合、両面粘着テープを貼着している部分以外の箇所では床暖房の床面と床材の下面との間に隙間が生じて床暖房から床材への伝熱が阻害され、特に、暖房初期の熱の立ち上がりに大きな影響を与えて床暖房としての必要な機能を果たすことが困難となる虞れがある。
【０００６】
その上、両面粘着テープが床暖房の厳しい使用条件に晒されると、床材の下面や床暖房の床面に対して部分的に剥がれて床材が変形しやすくなり、上述したような目隙きや段差が発生するといった問題点があった。このような問題点は、接着剤によって床材を床面上に貼着すれば解消することができるが、接着剤は硬化するまで長時間を要するために、床暖房の上貼りリフォームとしては不適である。
【０００７】
本発明はこのような問題点に鑑みてなされたもので、その目的とするところは、既設の床暖房の床面に、目隙きや段差などを生じさせることなく、上貼り床材を正確且つ能率良く施工することができる共に施工後においても床暖房の使用による上貼り床材の変形等を抑制して長期の使用に供することができる床暖房の上貼りリフォーム方法を提供するにある。
【課題を解決するための手段】
【０００８】
上記目的を達成するために、本発明の床暖房の上貼りリフォーム方法は、請求項１に記載したように、四方端面に本実加工を施した上貼り床材を既設床暖房の床面上に順次並列状に施工することにより該既設床暖房をリフォームする方法であって、既設床暖房の床面と施工すべき上貼り床材の下面とのいずれか一方に両面粘着テープとこの両面粘着テープ以外の部分に該両面粘着テープの厚みよりも厚い接着剤層を設ける工程と、先にこれらの両面粘着テープと接着剤層を介して貼着、施工した上貼り床材に対して次に施工すべき上貼り床材を互いに雌雄実部を対向させた状態となるように床面上に上記接着剤層を介して載置する工程と、床面上に載置した該上貼り床材を先に施工した上記上貼り床材側に下面側の接着剤層の粘性を利用して水平移動させることにより互いに雌雄実部を嵌合させる工程と、施工すべき上貼り床材の上面を押圧して接着剤層を展延することにより該上貼り床材の下面側に設けている両面粘着テープの上下面をこの上貼り床材の下面と床面とに貼着して上貼り床材を固定する工程とからなり、これらの工程を順次繰り返し行って既設床暖房の床面上に多数枚の上貼り床材を並列状態に施工することを特徴とする。
【０００９】
上記のように構成した床暖房の上貼りリフォーム方法において、請求項２に係る発明は上貼り床材として、無機質繊維と無機質粉状体と結合剤とを主成分とする比重が0.8 以上の無機質板を基板とし、この基板の上面に化粧層を設けてなる厚さが２〜５mmの床材を用いていることを特徴とする。
【００１０】
さらに、請求項３に係る発明は、上記両面粘着テープの厚みが0.15mm〜0.5mm である一方、この両面粘着テープと接着剤層とによって上貼り床材の下面全面を既設床暖房の床面上に貼着させるように構成していることを特徴とする。
【００１１】
また、請求項４に係る発明は、上記上貼り床材の施工によってリフォームした既設床暖房の定常暖房運転時における該床面上の上記上貼り床材の床表面温度が、この上貼り床材を施工する前の定常暖房運転時の既設床暖房の床表面温度より３℃以内の低い温度範囲となるように上貼り床材の施工条件を設定することを特徴とする。
【００１２】
請求項５に係る発明は、上記請求項１又は請求項３に記載の既設床暖房の上貼りリフォーム方法において、既設床暖房を設けている部屋の床面の四方周辺部に両面粘着テープを貼着すると共に施工すべき上貼り床材の長さ方向に平行な対向周辺部に貼着している上記両面粘着テープ間に上貼り床材の長さよりも短い間隔毎に上貼り床材を横断する方向に両面粘着テープを貼着し、これらの両面粘着テープ以外の部分に上貼り床材の下面を既設床暖房の床面上に接着する接着剤を塗布することを特徴とする一方、請求項６に係る発明は、上貼り床材の下面における長さ方向の一端部に該上貼り床材の短辺に平行して両面粘着テープを貼着すると共にこの両面粘着テープの貼着部以外の部分に接着剤層を塗布することを特徴とする。
【００１３】
さらに、請求項６に係る発明は、上記既設床暖房の床面上に厚さ0.5mm 〜3.0mm の高比重オレフィンマットを敷設し、この高比重オレフィンマット上に両面粘着テープと接着剤層を介して上貼り床材を施工することを特徴とする。
【発明の効果】
【００１４】
請求項１に係る発明によれば、四方端面に本実加工を施した上貼り床材の下面と既設床暖房の床面上とのいずれか一方に両面粘着テープとこの両面粘着シート以外の部分に該両面粘着テープの厚みよりも厚い接着剤層を設けておき、これらの両面粘着テープと接着剤層を介して既設床暖房の床面上に上貼り床材を順次施工するものであるから、先に床面上に施工した上貼り床材に対して次に施工すべき上貼り床材を並列状態に対向させて既設床暖房の床面上に載置した際に、既設床暖房の床面上に両面粘着テープが貼着している場合には該両面粘着テープの上面を施工すべき上貼り床材の下面に貼着していない状態にすることができると共に、両面粘着テープが施工すべき上貼り床材の下面に貼着している場合には該両面粘着テープの下面を既設床暖房の床面に貼着させることなく僅かな隙間を存した状態にすることができ、さらに、この状態から施工すべき上貼り床材を接着剤層によって既設床暖房の床面から浮かせた状態で先に施工した上記上貼り床材側に該接着剤層の粘性を利用して水平移動させることにより互いに雌雄実部を嵌合させるものであるから、両面粘着テープが上貼り床材同士の雌雄実部の嵌合を阻害することなく、且つ、上貼り床材間に目隙きや段差を生じさせることなく上貼り床材の施工が正確に且つ能率よく行うことができる。
【００１５】
その上、上貼り床材同士の雌雄実部の嵌合後、上貼り床材の上面を押圧して接着剤層を展延することにより該上貼り床材の下面側に設けている両面粘着テープの上下面をこの上貼り床材の下面と床面とに貼着して上貼り床材を固定するものであるから、上貼り床材を所定の施工部分に両面粘着テープによって簡単且つ確実に一時固定させることができ、従って、既設床暖房のリフォーム工事を早期に完了することができると共に、施工前の上貼り床材に多少の反り等の変形が生じていても、両面粘着テープによってその変形を矯正しながら床暖房の床面上に精度よく貼着することができ、この状態で接着剤層を硬化させるので、上貼り床材を既設床暖房の床面上に強固に敷設、固定することができる。そして、このように、上貼り床材同士が本実加工された雌雄実部の嵌合によって互いに正確に施工され、且つ、接着剤層によって強固に固着されているので、既設床暖房の過酷な使用条件下においても合决り加工された床材のように目隙きや段差が発生することなく、長期間に亘る使用に耐えることができ且つ外観においても優れたリフォームされた床暖房の床面を提供することができる。
【００１６】
さらに、請求項２に係る発明によれば、上記上貼り床材は、無機質繊維と無機質粉状体と結合剤とを主成分とする比重が0.8 以上の無機質板を基板とし、この基板の上面に化粧層を設けてなる厚さが２〜５mmの床材からなるものであるから、床暖房の表面熱をこの上貼り床材を通じて該上貼り床材の上面（表面）に良好に伝達することができる。
【００１７】
その上、請求項３に記載したように、上記両面粘着テープとしてその厚みが0.15mm〜0.5mm の極薄の両面粘着テープを使用しているので、上貼り床材の施工後における既設床暖房の床面と該上貼り床材との間の空隙を小さくすることができると共に、熱伝導性は勿論のこと、歩行性にも優れたリフォーム床面を形成することができ、その上、この粘着テープ以外の上貼り床材の下面全面を同一厚みとなるまで展延された接着剤層を介して既設床暖房の床面上に貼着しているので、熱伝達が行われる面積が最大限まで広くなり、上貼り床材の厚みを２〜５mmと肉薄に形成していることと相まって床暖房の表面熱を上貼り床材の施工によるリフォーム床面全体に亘って均一に且つ円滑に伝達することができると共に暖房初期における熱の立ち上がりを素早く行わせることができる。
【００１８】
上記請求項１、請求項２または請求項３に記載の床暖房の上貼りリフォーム方法において、請求項４に係る発明によれば、上貼り床材の施工によってリフォームした既設床暖房の定常暖房運転時における該床面上の上記上貼り床材の床表面温度が、この上貼り床材を施工する前の定常暖房運転時の既設床暖房の床表面温度より３℃以内の低い温度範囲となるように上貼り床材の施工条件を設定することを特徴とするものであるから、既設床暖房の床面温度を大きく減ずることなく、床暖房としての使用に適したリフォーム床面を形成することができる。
【００１９】
また、請求項５に係る発明によれば、既設床暖房を設けている部屋の床面上において、該床面の四方周辺部に上記両面粘着テープを貼着すると共に施工すべき上貼り床材の長さ方向に平行な対向周辺部に貼着している上記両面粘着テープ間に上貼り床材の長さよりも短い間隔毎に上貼り床材を横断する方向に両面粘着テープを貼着し、これらの両面粘着テープ以外の部分に上貼り床材の下面を既設床暖房の床面上に接着する接着剤を塗布するものであるから、既設床暖房の床面における四方周辺部に対して、両面粘着テープを介して上貼り床材を正確な位置に能率よく貼着、施工することができると共に、これらの周辺部に施工される上貼り床材を基準として既設床暖房の床面上に両面粘着テープと接着剤層を介して上貼り床材を順次、円滑に且つ精度よく施工することができる。
【００２０】
この際、既設床暖房の床面上に貼着した両面粘着テープに対して上貼り床材を浮かせた状態で接着剤層上を水平方向に滑らせながら該上貼り床材の実部を先に施工した上貼り床材の実部に容易に嵌合させることができ、しかるのち、上貼り床材を既設床暖房の床面上に押しつけることによって接着剤層を展延させながら該上貼り床材の下面を両面粘着テープの上面に貼着させて上貼り床材を床面上に簡単に固定させることができる。その上、両面粘着テープは、上貼り床材の長さよりも短い間隔毎に上貼り床材を横断する方向に既設床暖房の床面上に貼着しているので、各上貼り床材の下面はその長さ方向に所定間隔を存した部分を幅方向に向かう両面粘着テープによって固定され、これらの両面粘着テープによって施工前に多少の反り等の変形が生じていても、その変形を確実に矯正しながら床暖房の床面上に精度よく貼着することができる。
【００２１】
一方、請求項６に係る発明によれば、上記上貼り床材の下面における長さ方向の一端部に該上貼り床材の短辺に平行して両面粘着テープを貼着すると共にこの両面粘着テープの貼着部以外の部分に接着剤層を塗布しておくので、両面粘着テープや接着剤層が設けられていない既設床暖房の床面上で、該床面上に対する上貼り床材の施工を順次、作業性よく円滑に行うことができると共に、互いに、雌雄実部を嵌合しあった各上貼り床材同士の嵌合部における下面が両面粘着テープによって既設床暖房の床面に固定された状態となり、従って、上記請求項５に記載の発明と同様に、施工前に多少の反り等の変形が生じていても、その変形を確実に矯正しながら床暖房の床面上に貼着することができると共に、目隙きや段差の発生も確実に防止することができるリフォーム床面を形成することができる。
【００２２】
また、請求項７に係る発明によれば、既設床暖房の床面上に厚さ0.5mm 〜3.0mm の高比重オレフィンマットを敷設し、この高比重オレフィンマット上に両面粘着テープと接着剤層を介して上貼り床材を施工することを特徴とするものであるから、床暖房の熱をこの高比重オレフィンマットを介して効率よく伝達することができるばかりでなく、マンション等のように既設床暖房の現状復帰を求められる場合には、この高比重オレフィンマットを該既設床暖房の床面から剥がすことによって上貼り床材によるリフォーム床面を簡単に除去することができ、再リフォームを容易にすることができる。
【発明を実施するための最良の形態】
【００２３】
次に、本発明を実施するための形態を図面について説明する。
〔実施の形態１〕
図１〜図４は本発明の実施の形態１を示すもので、四方端面に雌雄実部２、３からなる本実加工を施した上貼り床材１を既設床暖房４の床面５上に順次並列状に施工することにより該既設床暖房４をリフォームする際に、上記上貼り床材１の下面に両面粘着テープ６とこの両面粘着テープ６以外の部分に該両面粘着テープ６の厚みよりも厚い接着剤層７を塗布しておき、この上貼り床材１を順次、既設床暖房４の床面５上に載置し、先に施工した上貼り床材１に対して次に施工すべき上貼り床材１を互いに雌雄実部２、３を対向させた状態となるように載置したのち、この上貼り床材１を先に施工した上貼り床材１に向かって既設床暖房４の床面５上を平行移動させることにより互いに雌雄実部２、３を嵌合させ、この状態にして平行移動させた上貼り床材１の上面を押圧して該上貼り床材１の下面に塗布している接着剤層７を展延させると共に両面粘着テープ６を床面５上に貼着させることにより該上貼り床材１を固定し、この作業を順次、繰り返し行ってリフォーム床面を構成するものである。
【００２４】
この既設床暖房の上貼りリフォーム方法を更に詳しく説明すると、リフォーム床面を構成するための上貼り床材１としては、長方形状の基板1aの上面に薄い化粧層1bを設けて厚さが２mm〜５mmに形成されてなり、上記基板1aとしては木質単板、合板、パーティクルボード、中密度繊維板（以下、ＭＤＦとする）、高密度繊維板（以下、ＨＤＦとする）、インシュレーションボード等の木質板や、高比重オレフィン樹脂板などの硬質樹脂成形板、或いは、ロックウール板や火山性ガラス質積層板などの無機質板から形成することができるが、加工性の面から合板又はＭＤＦ、ＨＤＦ、或いはロックウール板等の無機質繊維と無機質粉状体と結合剤とを主成分とする比重が0.8 以上の無機質板を採用することが好ましい。
【００２５】
この基板1a上に設けられる化粧層1bとしては突板、合成樹脂シート、化粧紙などの表面化粧材を基板1a上に積層、接着することよって形成することができるが、さらに、この化粧層1a上に意匠性や耐傷性を付与するために、着色塗装を施しておいてもよい。なお、基板1aの下面（裏面）には、必要に応じて基板1aの反りの防止と、既設床暖房４の床面５に対する接着性の向上を目的としてバッカー材（図示せず）を貼着しておいてもよい。このようなバッカー材としては、上記化粧層1bとして使用した合成樹脂シートを採用することが望ましい。
【００２６】
このように構成した上貼り床材１の四方端面において、互いに直角に隣接する一方の端面には雌実部３が、他方の互いに直角に隣接する端面には雄実部４がそれぞれ形成されている。この上貼り床材１の厚みが２mm未満であると、その四方端面に雌雄実部３、４を設けるための本実加工が実質的に困難となる一方、厚みが５mmを超えると、床暖房の定常暖房運転時におけるリフォーム床面の表面温度が上がりにくくなるので好ましくない。
【００２７】
さらに、上貼り床材１の施工によってリフォームした既設床暖房４のリフォーム床面と、上貼りする前の既設床暖房４の床面５との定常暖房運転時における表面温度が殆ど変わらないように施工する必要であり、そのためには、上貼り床材１の基板1aの比重と厚みに密接な関係が存在する。例えば、このような施工条件を満たすには、上貼り床材１の基板1aとして比重が0.5 程度の合板を採用した場合、その厚みを3.0mm 〜3.5mm とし、比重が1.4 の高比重ロックウール板を基板1aとした場合にはその厚みが3.5mm 〜4.5mm 程度となるように設定する。また、上貼り床材１の下面はその全面に亘って両面粘着テープ６と接着剤層７とによって既設床暖房４の床面５に接着、固定しておき、既設床暖房４からの熱伝達を良好にすることが望ましい。
【００２８】
上貼り床材１の下面に貼着する上記両面粘着テープ６としては厚みが0.15mm〜0.5mm の薄い耐熱性を有する粘着テープであり、この両面粘着テープ６を一本、上貼り床材１の雌実部２を設けている長辺側の下面に全長に亘って貼着していると共に、該両面粘着テープ６を貼着していない上貼り床材１の下面に、この両面粘着テープ６の厚みよりも厚い粘性を有する上記接着剤層７を塗布している。この接着剤層７の塗布は、線状塗布であっても面状塗布であってもよい。なお、上貼り床材１の施工前においては上記両面粘着テープ６の下面粘着層は離型紙（図示せず）によって保護されている。
【００２９】
このように構成した上貼り床材１は、両面粘着テープ６を被覆している離型紙を剥離したのち図２、図３に示すように既設床暖房４の床面５上に、先に両面粘着テープ６と接着剤層７とによって既設床暖房４の床面５の所定箇所に貼着、施工された上貼り床材１の雄実部３にその雌実部２を対向させた状態にして載置する。この際、該上貼り床材１の下面に塗層している接着剤層７が既設床暖房４の床面５に接するが、この接着剤層７の厚みよりも薄い両面粘着テープ６は既設床暖房４の床面５から僅かな間隔を存して浮いた状態となる。この状態から上貼り床材１をその接着剤層７の粘性を利用して先に施工した上記上貼り床材１に向かって床面５上を水平移動させ、これらの上貼り床材１、１の雌雄実部２、３同士を嵌合させる。
【００３０】
しかるのち、水平移動させた上貼り床材１の上面を既設床暖房４の床面５に向かって押圧すると、図４に示すように、該上貼り床材１の下面の接着剤層７がこの上貼り床材１の下面と既設床暖房４の床面５上とで挟圧されて平面方向に展延し、両面粘着テープ６以外の上貼り床材１の下面全面に広がると共に両面粘着テープ６の下面が既設床暖房４の床面５上に圧着してこの上貼り床材１を床面５上に固定させる。次いで、この上貼り床材１に次の上貼り床材１を上記施工手順によって接続し、この作業工程を繰り返し行うことによって既設床暖房４の床面全面に上貼り床材１を施工して既設床暖房４のリフォームを完了する。なお、既設床暖房４の床面５にはワックスが塗布されている場合が多いため、上貼り床材１を施工する前に、予めリムーバ等でワックスを除去しておくことが望ましい。
【００３１】
こうして上貼りリフォームした既設床暖房４は、全ての上貼り床材１の下面を両面粘着テープ６によって床面５上に直ちに固定することができると共に、その後の接着剤層７の硬化によって強固な上貼りリフォームを構成することができる。なお、両面粘着テープ６は上貼り床材１の長手方向の雌実部２の下面に全長に亘って貼着しているが、上貼り床材１の端部下面において短手方向、即ち、幅方向に貼着しておいてもよく、さらには、長手方向と短手方向とに直角に連設している雌実部２の下面に両面粘着テープ６をＬ字状に貼着しておいてもよい。
【００３２】
〔実施の形態２〕
図５〜図８は本発明の実施の形態２を示すもので、上記実施の形態１においては、上貼り床材１の下面に両面粘着テープ６と接着剤層７とを設けておいたのち、この上貼り床材１を順次、既設床暖房４の床面５上に施工することによって既設床暖房４のリフォームを行っているが、この実施の形態２においては、既設床暖房４の床面５上に両面粘着テープ６と接着剤層７とを設けておき、これらの両面粘着テープ６と接着剤層７とを介して上貼り床材１を既設床暖房４の床面５上に順次、貼着施工することによって既設床暖房４のリフォームを行っているものである。
【００３３】
この既設床暖房の上貼りリフォーム方法を詳細に説明すると、まず、既設床暖房４の床面５に塗布しているワックスを除去したのち、図６に示すように、該床面５に施工すべき上貼り床材１、１の短手側の雌雄実部同士の継ぎ手部分の位置に墨打ちを直線状に施すと共に床面５の四方周部に両面粘着テープ6'を貼着し、さらに、隣接する上記各墨８、８間の床面５上にこれらの墨８と平行に一本の両面粘着テープ６を貼着した。なお、施工する上貼り床材１や両面粘着テープ６、6'は、上記実施の形態１の上貼り床材１や両面粘着テープ６と同一構造であるので、その説明を省略する。
【００３４】
次いで、上貼り床材１を施工すべき既設床暖房４の床面５上における両面粘着テープ６以外の部分に上記実施の形態１と同じ接着剤層７を両面粘着テープ６の厚みよりも厚く線状に塗布すると共に両面粘着テープ６、6'の離型紙を剥離したのち、施工すべき上貼り床材１をその長手方向を墨８や両面粘着テープ６に直交する方向に向けて既設床暖房４の床面５上における一方の周辺部上で順次、その対向する短辺側の雌雄実部２、３同士を嵌合させ、且つ、長辺側の雌実部２の下面を床面５の一方の周辺部上に貼着している上記両面粘着テープ6'に貼着させながら、接着剤層７を介して施工する。
【００３５】
しかるのち、これらの上貼り床材列に並列するように次の上貼り床材列を施工する。この際、図５〜図７に示すように、先に施工した上貼り床材１、１の長辺側と短辺側とにそれぞれ形成している雌実部２、２に、施工すべき上貼り床材１の長辺側と短辺側とに形成している雄実部３、３を対向させた状態でこの上貼り床材１を既設床暖房４の床面５上に上記接着剤層７を介して載置すると、該接着剤層７の厚みが床面５上に貼着している両面粘着テープ６の厚みよりも厚いので、この上貼り床材１の下面は両面粘着テープ６の上面から僅かに浮き上がった状態となる。
【００３６】
この状態から実施の形態１と同様に、上貼り床材１をその接着剤層７の粘性を利用して先に施工した上貼り床材１に向かって床面５上を滑らせて水平移動させると、上記墨打ちしている線上で先に施工した上貼り床材１とこの上貼り床材１との短辺側の雌雄実部２、３同士が接嵌合すると共に、この上貼り床材１の長辺側の雄実部３が、先に直列状に施工した上貼り床材列における隣接する上貼り床材１、１間に亘ってこれらの上貼り床材１、１の長辺側の雌実部２、２に嵌合し、且つ、隣接する２本の両面粘着テープ６、６が施工すべきこの上貼り床材１の長さ方向の両側部下面を短手方向に横断した状態となる。
【００３７】
しかるのち、図８に示すように、この上貼り床材１の上面を既設床暖房４の床面５に向かって押圧すると、既設床暖房４の床面５上の接着剤層７がこの上貼り床材１の下面と既設床暖房４の床面５上とで挟圧されて平面方向に展延し、両面粘着テープ６以外の上貼り床材１の下面全面に広がると共に一定の間隔を存して並設している隣接する上記２本の両面粘着テープ６、６上に該上貼り床材１の長さ方向の両側部下面が貼着してこれらの両面粘着テープ６、６によりこの上貼り床材１は床面５上に固定される。次いで、この上貼り床材１に次の上貼り床材１を上記施工手順によって接続し、この作業工程を繰り返し行うことによって既設床暖房４の床面全面に上貼り床材１を施工して既設床暖房４のリフォームを完了する。
【００３８】
こうして上貼りリフォームした既設床暖房４は、全ての上貼り床材１の下面における長さ方向の両側部を短手方向に横切る両面粘着テープ６、６によって床面上に固定されているので、施工前に該上貼り床材１に反りが発生していても、その反りを矯正した状態で既設床暖房４の床面上に精度よく施工することができる。
【００３９】
〔実施の形態３〕
図９〜図12は本発明の実施の形態３を示すもので、上記実施の形態２においては、既設床暖房４の床面５上に直接、両面粘着テープ６、6'を貼着すると共に接着剤層７を塗布したが、この実施の形態３においては、既設床暖房４の床面５上に厚さが0.5mm 〜3.0mm の高比重のオレフィンマット９を敷設し、このオレフィンマット９を介して既設床暖房４の床面５上に上記同様にして上貼り床材１を順次、貼着施工することにより既設床暖房４のリフォームを行っているものである。
【００４０】
具体的には、まず、既設床暖房４の床面５に塗布しているワックスを除去したのち、該床面５に接着力が大きいゴム系の両面粘着テープ6aを数本、所定間隔を存して互いに平行に貼着し、しかるのち、既設床暖房４の床面全面に上記高比重のオレフィンマット９を敷設してその下面をこれらの両面粘着テープ6aを介して既設床暖房４の床面上に固定した。
【００４１】
しかるのち、このオレフィンマット９の上面に、上記実施の形態２と同様にして図10に示すように、施工すべき上貼り床材１、１の短手側の雌雄実部同士の継ぎ手部分の位置に墨打ちを直線状に施すと共に四方周部に両面粘着テープ6'を貼着し、さらに、隣接する上記全ての墨８、８間のオレフィンマット９上にこれらの墨８と平行に一本の両面粘着テープ６を貼着した。なお、施工する上貼り床材１や両面粘着テープ６、6'は、上記実施の形態１、２の上貼り床材１や両面粘着テープ６と同一構造のものを使用している。
【００４２】
次いで、上貼り床材１を施工すべきオレフィンマット９の上面における上記両面粘着テープ６、6'以外の部分に上記実施の形態１、２と同じ接着剤層７を両面粘着テープ６の厚みよりも厚く線状に塗布すると共に両面粘着テープ６、6'の離型紙を剥離したのち、施工すべき上貼り床材１をその長手方向を墨８や両面粘着テープ６に直交する方向に向けてオレフィンマット９上における一方の周辺部上で順次、その対向する短辺側の雌雄実部２、３同士を嵌合させ、且つ、長辺側の雌実部２の下面をオレフィンマット９一方の周辺部上に貼着している上記両面粘着テープ6'に貼着させながら、接着剤層７を介して施工する。
【００４３】
しかるのち、これらの上貼り床材列に並列するように次の上貼り床材列を施工する。この際、実施の形態２と同様に、先に施工した上貼り床材１、１の長辺側と短辺側とにそれぞれ形成している雌実部２、２に、施工すべき上貼り床材１の長辺側と短辺側とに形成している雄実部３、３を対向させた状態でこの上貼り床材１をオレフィンマット９上に上記接着剤層７を介して載置する。この際、該接着剤層７の厚みがオレフィンマット９上に貼着している両面粘着テープ６の厚みよりも厚いので、この上貼り床材１の下面は図11に示すように、両面粘着テープ６の上面から僅かに浮き上がった状態となる。
【００４４】
この状態から、上貼り床材１をその接着剤層７の粘性を利用して先に施工した上貼り床材１に向かって床面上を水平方向に滑らせるように移動させると、上記墨打ちしている線上で先に施工した上貼り床材１とこの上貼り床材１との短辺側の雌雄実部２、３同士が接嵌合すると共に、この上貼り床材１の長辺側の雄実部３が、先に直列状に施工した上貼り床材列における隣接する上貼り床材１、１間に亘ってこれらの上貼り床材１、１の長辺側の雌実部２、２に嵌合し、且つ、隣接する２本の両面粘着テープ６、６が施工すべきこの上貼り床材１の長さ方向の両側部下面を短手方向に横断した状態となる。
【００４５】
しかるのち、図12に示すように、この上貼り床材１の上面を上記オレフィンマット９の上面に向かって押圧すると、このオレフィンマット９上の接着剤層７が該上貼り床材１の下面とオレフィンマット９の上面とで挟圧されて平面方向に展延し、両面粘着テープ６以外の上貼り床材１の下面全面に広がると共に一定の間隔を存して並設している隣接する上記２本の両面粘着テープ６、６上に該上貼り床材１の長さ方向の両側部下面が貼着してこれらの両面粘着テープ６、６によりこの上貼り床材１はオレフィンマット９上に固定される。次いで、この上貼り床材１に次の上貼り床材１を上記施工手順によって接続し、この作業工程を繰り返し行うことによって既設床暖房４の上貼りリフォームが完了するものである。
【００４６】
こうして上貼りリフォームした既設床暖房４は、全ての上貼り床材１の下面における長さ方向の両側部を短手方向に横切る両面粘着テープ６、６によってオレフィンマット９上に固定されているので、施工前に該上貼り床材１に反りが発生していても、その反りを矯正した状態で既設床暖房４の床面上に精度よく施工することができる。また、既設床暖房４の現状復帰が求められる場合には、上貼り床材１の表面からオレフィンマット９の裏面に達する深さまで電動鋸で数カ所に切り目を入れたのち、該切り目からオレフィンマット９を剥がすことにより、上貼り床材１を簡単に撤去することができて、元の既設床暖房４に戻すことができる。次に、本発明の具体的な実施例と比較例とを示す。
【００４７】
〔実施例１〕
厚さ3.0mm 、比重0.5 で短辺側の長さが145mm 、長辺側の長さが900mm の長方形状の合板の表面に0.3mm 厚の木質単板をメラミン系接着剤によって貼着し、この表面をサンダーによって面一状となるように研削したのち表面塗装を施して厚さ3.2mm で比重が0.5 の薄肉の床材を得た。この床材の四方端面に本実加工を施した。さらに、本実加工における一方の長辺側の雌実部の下面側に幅30mm、厚さ0.20mmの耐熱性を有するアクリル系両面粘着テープを全長に亘って貼着すると共にこの両面粘着テープ以外の下面に１液型ウレタン接着剤を両面粘着テープの厚みよりも厚くなるようにビード塗布した。
【００４８】
一方、既設床暖房の床面表面のワックスを除去したのち、この床面の四方周部に上記と同じ両面粘着テープを貼着し、しかるのち、上記実施の形態１と同様に先に施工した床材と次に施工する床材とを互いに対向する雌雄実部同士が嵌合するように順次既設床暖房の床面上に施工した。こうして得られた上貼りリフォームは、目隙や段差等が生じていない精度のよい外観を呈すると共に、既設床暖房を運転して、20時間の連続使用と４時間の使用停止の繰り返しサイクルを１週間、稼働させたところ、目隙や床材の変形は殆ど確認できなかった。また、既設床暖房の表面温度が42℃であったのに対し、表面温度が39℃まで上昇した。
【００４９】
〔実施例２〕
厚さ3.0mm 、比重1.5 で大きさ、形状が上記実施例１と同じである高比重ロックウール板の表裏面に0.6m厚の木質単板を水系ビニルウレタン系接着剤によって貼着し、サンダーによって面一状となるように研削したのち表面塗装を施して厚さ3.5mm で比重が1.4 の薄肉の床材を得た。この床材の四方端面に本実加工を施した。一方、既設床暖房の床面表面のワックスを除去したのち、この床面上における床材の短手側の雌雄実部同士の継ぎ手位置に墨打ちを行うと共に、床面の四方周部と隣接する各墨打ち線間とに上記実施例１と同じ両面粘着テープを貼着した。
【００５０】
しかるのち、両面粘着テープ間に該両面粘着テープの厚みよりも厚くなるように１液型ウレタン接着剤をビード塗布しながら、上記実施の形態２と同様に先に施工した床材と次に施工する床材とを互いに対向する雌雄実部同士が嵌合するようにこの１液型ウレタン接着剤と両面粘着テープとを介して順次既設床暖房の床面上に施工した。こうして得られた上貼りリフォームは、目隙や段差等が生じていない精度のよい外観を呈すると共に、既設床暖房を運転して、20時間の連続使用と４時間の使用停止の繰り返しサイクルを１週間、稼働させたところ、目隙や床材の変形は殆ど確認できなかった。また、既設床暖房の表面温度が42℃であったのに対し、表面温度が41℃まで上昇した。
【００５１】
〔実施例３〕
既設床暖房の床面表面のワックスを除去したのち、この床面上に1.0m厚で比重が1.6 の無機粉体充填高比重オレフィンマットを数本のゴム系両面粘着テープを介して貼着、敷設し、このマット上における敷設すべき床材の短手側の雌雄実部同士の継ぎ手位置に墨打ちを行うと共に、マット上の四方周部と隣接する各墨打ち線間とに上記実施例２と同じ両面粘着テープを貼着した。この際、各両面粘着テープは一方の墨打ち線から10mm程度の間隔を存して貼着した。しかるのち、両面粘着テープ間に該両面粘着テープの厚みよりも厚くなるように１液型ウレタン接着剤をビード塗布しながら、上記実施の形態３と同様に先に施工した床材と次に施工する床材とを互いに対向する雌雄実部同士が嵌合するようにこの１液型ウレタン接着剤と両面粘着テープとを介して順次高比重オレフィンマット上に施工した。なお、床材としては、上記実施例２と同じ床材を使用した。
【００５２】
こうして得られた上貼りリフォームは、目隙や段差等が生じていない精度のよい外観を呈すると共に、既設床暖房を運転して、20時間の連続使用と４時間の使用停止の繰り返しサイクルを１週間、稼働させたところ、目隙や床材の変形は殆ど確認できなかった。さらに、既設床暖房の表面温度が42℃であったのに対し、表面温度が40℃まで上昇した。また、既設床暖房の現状復帰のために、切断深さ深さ30mmに設定した電動鋸で床材表面からマットの下面に達する切り目を数カ所に設けたところ、床材をマットと共に容易に剥離、除去することができた。
【００５３】
〔比較例１〕
厚さ5.7mm 、比重0.5 で短辺側の長さが145mm 、長辺側の長さが900mm の長方形状の合板の表面に0.6mm 厚の木質単板をメラミン系接着剤によって貼着し、この表面をサンダーによって面一状となるように研削したのち表面塗装を施して厚さ6.0mm で比重が0.5 の薄肉の床材を得た。この床材の四方端部に合决り加工を施し、さらに、床材下面全面に、発泡ポルウレタンからなるクッション性を有するテープ基材の両面にアクリル系粘着剤を層着してなる厚さ1.0mm の両面粘着テープを貼着した。
【００５４】
一方、既設床暖房の床面表面のワックスを除去したのち、先に施工した床材と次に施工する床材とを互いに対向する合决り部を重ね合わせ状に接合させながら順次既設床暖房の床面上に施工した。こうして得られた上貼りリフォームは、床暖房を運転して、20時間の連続使用と４時間の使用停止の繰り返しサイクルを１週間、稼働させたところ、目隙変化量が0.9mm とかなり大きくなっており、さらに、両面粘着テープが剥がれていないにもかかわらず床材の表面が大きく変形しており、継ぎ手部分で段差が発生していた。また、既設床暖房の表面温度が42℃であったのに対し、表面温度が37℃までしか上昇しなかった。  
【００５５】
〔比較例２〕
厚さが3.5mm でその他の構造が上記実施例１と同一で且つ四方端面に合决り加工を施してなる床材の下面における両側部と中央部とに幅が30mm、厚さが0.20mmの耐熱性を有するアクリル系両面粘着テープを全長に亘って貼着した。一方、既設床暖房の床面表面のワックスを除去したのち、先に施工した床材と次に施工する床材とを互いに対向する合决り部を重ね合わせながら順次既設床暖房の床面上に施工した。こうして得られた上貼りリフォームは、床暖房を運転して、20時間の連続使用と４時間の使用停止の繰り返しサイクルを１週間、稼働させたところ、目隙きが大きくなった。さらに、両面粘着テープの剥がれが生じて継ぎ手部分に反りが発生しており、この継ぎ手部分を押さえつけても床材の再度の接着が困難であった。また、既設床暖房の表面温度が42℃であったのに対し、表面温度が39℃までしか上昇しなかった。
【００５６】
〔比較例３〕
上記比較例２と同一構造の床材の四方端面に本実加工を施したのち、その下面における両側部と中央部とに比較例２と同じ構造の両面粘着テープを全長に亘って貼着した。一方、既設床暖房の床面表面のワックスを除去したのち、先に施工した床材の雌実部に次に施工すべき床材の雄実部を対向させた状態で両面粘着テープを介して床面上に貼着した。この状態で、施工すべき床材を先に施工した床材に向かって既設床暖房の床面上を滑らせながら雌雄実部同士を嵌合させようとしたが、両面粘着テープによって床面上に固定されているため、床面上を滑らせることが困難となり、雌雄実部同士を正確に隙間なく嵌合させることができなかった。また、既設床暖房の表面温度が42℃であったのに対し、表面温度が39℃までしか上昇しなかった。
【００５７】
〔比較例４〕
厚さ3.0mm 、比重0.5 で短辺側の長さが145mm 、長辺側の長さが900mm の長方形状の合板の表面に0.3mm 厚の木質単板をメラミン系接着剤によって貼着し、この表面をサンダーによって面一状となるように研削したのち表面塗装を施すと共に四方端面に本実加工を施して厚さ3.2mm で比重が0.5 の薄肉の床材を得た。一方、既設床暖房の床面表面のワックスを除去したのち、既設床暖房の四方周部においては、接着剤を使用することなく、これらの床材を釘着によって施工した。次いで、引き続いて施工すべき床材の下面全面に１液型ウレタン接着剤をビード塗布し、該床材を先に施工した床材の雌実部にその雄実部を対向させた状態で床面上に上記接着剤を介して載置し、該床材床面上で下面の接着剤層を介して滑らせながら雌雄実部同士を嵌合させた。そして、この床材の施工手順を繰り返し行うことによって既設床暖房の上貼りリフォームを行った。
【００５８】
こうして得られた上貼りリフォームは接着剤の硬化後に、雌雄実部同士の継ぎ手部に段差が生じていなかったが、複数箇所で床材の反りによる浮き上がりが確認された。そして、この反り部分を施工後に床面上に押し付けても矯正することができないために、床材の反りが施工時の表面性に影響を与えることが判明した。また、接着剤のみによる床材の施工であるから、接着剤が硬化するまでにの約24時間の間、施工したリフォーム床上での作業を行うことができず、既設床暖房の上貼りリフォームとしては不向きである。なお、この比較４においては、既設床暖房の表面温度が42℃であったのに対し、表面温度が39℃まで上昇した。
【図面の簡単な説明】
【００５９】
【図１】本発明の実施の形態１の施工状態を示す縦断正面図。
【図２】施工すべき床材を床面上に配設した状態を示す一部分の簡略平面図。
【図３】そのＡーＡ線における拡大縦断正面図。
【図４】床材同士の雌雄実部を嵌合させた状態の縦断正面図。
【図５】本発明の実施の形態２の施工状態を示す一部省略縦断側面図。
【図６】施工すべき床材を床面上に配設した状態を示す一部分の簡略平面図。
【図７】そのＢーＢ線における一部省略拡大縦断平面図。
【図８】床材同士の雌雄実部を嵌合させた状態の縦断側面図。
【図９】本発明の実施の形態３の施工状態を示す一部省略縦断側面図。
【図１０】施工すべき床材をマット上に配設した状態の一部分の簡略平面図。
【図１１】そのＣーＣ線における一部省略拡大縦断平面図Ｑ
【図１２】床材同士の雌雄実部を嵌合させた状態の縦断側面図。
【符号の説明】
【００６０】
１  上貼り床材
２、３  雌雄実部
４  既設床暖房
５  床面
６  両面粘着テープ
７  接着剤層
８  墨打ち
９  高比重オレフィンマット
【図１】
2007056561.tif 000003
【図２】
2007056561.tif 000004
【図３】
2007056561.tif 000005
【図４】
2007056561.tif 000006
【図５】
2007056561.tif 000007
【図６】
2007056561.tif 000008
【図７】
2007056561.tif 000009
【図８】
2007056561.tif 000010
【図９】
2007056561.tif 000011
【図１０】
2007056561.tif 000012
【図１１】
2007056561.tif 000013
【図１２】
2007056561.tif 000014